(57)【特許請求の範囲】
【請求項１】
湯と水の混合比を調整することで吐水温度を変更する湯水混合手段と、
この湯水混合手段による吐水温度を設定するために回転操作される温度調節ハンドルと、
この温度調節ハンドルの半径方向に移動可能であって、付勢手段によって外周から突出する方向に付勢された安全ボタンと、
前記温度調節ハンドルの取付面に設けられ、前記温度調節ハンドルが低温設定側から高温設定側へと回転操作される途中で、前記付勢手段によって突出した状態の前記安全ボタンの一部と当接して回転を規制する回転規制壁と、
を備えた湯水混合水栓において、
前記温度調節ハンドルの取付面には、前記安全ボタンの一部が前記回転規制壁に当接している状態から前記温度調節ハンドルを低温設定側に回転すると、前記安全ボタンを前記付勢手段の付勢力に抗して前記温度調節ハンドル内に収納する方向に移動させる突出量規制壁が形成されていることを特徴とする湯水混合水栓。
【請求項２】
前記湯水混合水栓は、前記温度調節ハンドルの周面の一部を覆い、一部を露出するカバーを備えており、
前記安全ボタンは、前記突出量規制壁によって前記温度調節ハンドル内に収納する方向に移動している間は前記カバーに覆われ、前記突出量規制壁による規制を外れて突出して前記回転規制壁に当接するまでの間は前記カバーより露出することを特徴とする、請求項１記載の湯水混合水栓。
【発明の詳細な説明】
【技術分野】
【０００１】
本発明は、湯と水を混合して吐水する湯水混合水栓に係り、特に高温時の吐水に対する安全性を高めるために、高温吐水設定時に操作を必要とする安全ボタンを備えた湯水混合水栓に関する発明である。 
【背景技術】
【０００２】
従来の湯水混合水栓においては、使用者が温度調節ハンドルを高温側へ回転操作する際に、一気に高温側へ回転してしまうと危険を伴うため、温度調節ハンドル外周面から突出する安全ボタンが具備されており、温度調節ハンドルの高温側への回転途中で回転が規制され、その規制の解除のためには安全ボタンの操作を必要とすることで、一気に高温側へ回転する誤操作を防止している（例えば、特許文献１参照。）。
【０００３】
この安全ボタンの突出量は、安全ボタンの押し込み操作による規制解除を行って、温度調節ハンドルを高温側に回転させた状態では小さくなるが、一方、適温、低温側においては安全ボタンは温度調節ハンドル外周面から大きく突出したままとなっている。
そのため、適温、低温側において大きく突出している安全ボタンを押し込んで一気に高温側まで回転させることが可能であり、その場合には意図せずに高温水が吐水される恐れがあった。
また、使用頻度の高い適温や低温に設定された状態で温度調節ハンドル外周に安全ボタンが大きく突出しているため、温度調節ハンドルの意匠性や清掃性の面でも問題があった。
【先行技術文献】
【特許文献】
【０００４】
【特許文献１】特開平８−３０２７７２号公報
【発明の概要】
【発明が解決しようとする課題】
【０００５】
本発明は、上記問題を解決するためになされたもので、本発明の課題は、安全ボタンを操作する必要がない状態における温度調節ハンドルからの突出量を小さくすることで、誤って安全ボタンを操作したまま高温吐水されてしまうことを防止し、また、温度調節ハンドルの意匠性や清掃性を向上させることを目的とするものである。
【課題を解決するための手段】
【０００６】
上記目的を達成するために請求項１記載の発明によれば、湯と水の混合比を調整することで吐水温度を変更する湯水混合手段と、この湯水混合手段による吐水温度を設定するために回転操作される温度調節ハンドルと、この温度調節ハンドルの半径方向に移動可能であって、付勢手段によって外周から突出する方向に付勢された安全ボタンと、前記温度調節ハンドルの取付面に設けられ、前記温度調節ハンドルが低温設定側から高温設定側へと回転操作される途中で、前記付勢手段によって突出した状態の前記安全ボタンの一部と当接して回転を規制する回転規制壁と、を備えた湯水混合水栓において、前記温度調節ハンドルの取付面には、前記安全ボタンの一部が前記回転規制壁に当接している状態から前記温度調節ハンドルを低温設定側に回転すると、前記安全ボタンを前記付勢手段の付勢力に抗して前記温度調節ハンドル内に収納する方向に移動させる突出量規制壁が形成されていることを特徴とする。
【０００７】
従って、温度調節ハンドルの高温設定側への回転規制を行う必要が無い回転領域では、安全ボタンの温度調節ハンドルから突出量を小さくすることで、誤って安全ボタンを押し込んで高温設定領域まで回転されることがなく、意図せずに高温吐水されてしまうことを防止できる。また、温度調節ハンドルから安全ボタンが大きく突出する回転範囲が減ることで、温度調節ハンドルの意匠性や清掃性を向上させることができる。
【０００８】
また、請求項２記載の発明によれば、前記湯水混合水栓は、前記温度調節ハンドルの周面の一部を覆い、一部を露出するカバーを備えており、前記安全ボタンは、前記突出量規制壁によって前記温度調節ハンドル内に収納する方向に移動している間は前記カバーに覆われ、前記突出量規制壁による規制を外れて突出して前記回転規制壁に当接するまでの間は前記カバーより露出することを特徴とする。これにより、温度調節ハンドルの高温設定側への回転規制を行う必要が無い回転領域では、安全ボタンがカバーによって覆われるので、使用者は安全ボタンに触ることができなくなり、より確実に誤って安全ボタンを押し込んで高温設定領域まで回転されることを防止できる。また、温度調節ハンドルの天面をカバーから突出させる必要がないので、意匠性に優れた湯水混合水栓を提供することが可能となる。
【発明の効果】
【０００９】
本発明によれば、温度調節ハンドルの高温設定側への回転規制を行う必要が無い回転領域では、安全ボタンの温度調節ハンドルから突出量を小さくすることで、誤って安全ボタンを押し込んで高温設定領域まで回転されることがなく、意図せずに高温吐水されてしまうことを防止できる。また、温度調節ハンドルから安全ボタンが大きく突出する回転範囲が減ることで、温度調節ハンドルの意匠性や清掃性を向上させることができるという効果がある。
【図面の簡単な説明】
【００１０】
【図１】本発明の湯水混合水栓の正面図である。
【図２】本発明の湯水混合水栓の右側面図である。
【図３】本発明の湯水混合水栓の斜視図である。
【図４】本発明の湯水混合水栓の分解斜視図である。
【図５】押し釦ユニットの詳細を示す図である。
【図６】温度調節ハンドルによって操作される温度調節弁の断面図である。
【図７】図６の温度調節弁の分解斜視図である。
【図８】温度調節ハンドルの断面図である。
【図９】回転規制部の断面図である。
【発明を実施するための形態】
【００１１】
図１は本発明の湯水混合水栓１の正面図、図２はその右側面図である。この湯水混合水栓１は設置面である壁面２から突出するように設けられている。壁面２としては、ユニットバスを構成する側壁面である。
【００１２】
図３は図１、図２と同じ本発明の湯水混合水栓１の斜視図、図４は分解斜視図である。この湯水混合水栓１は水栓本体１０を備え、この水栓本体１０に押し釦ユニット１１、温度調節ハンドル１２、流量調整レバー１３がそれぞれ設けられている。また、水栓本体１０は押し釦ユニット１１、温度調節ハンドル１２、流量調整レバー１３を露出させた状態で上カバー１４、下カバー１５で覆われている。
【００１３】
図５は押し釦ユニット１１の詳細を示す図である。この押し釦ユニット１１はカラン吐水用のカラン用押し釦１１a、シャワー吐水用のシャワー用押し釦１１b、これらの押し釦の誤操作を防止するロック機構１１ｃおよびこれら押し釦およびロック機構が取付けられるベースプレート１１ｄから構成されている。そして、湯水混合水栓１の水栓本体１０にはカラン吐水用押し釦１１ａ、シャワー吐水用押し釦１１ｂそれぞれに連動されたパイロット式の開閉弁（図示せず）が設けられ、各押し釦を押すことで開閉弁を機構的に開き、再度押すことで開閉弁を機構的に閉じる構成となっている。
【００１４】
湯水混合水栓１の前方下面側にはカラン吐水口１６が設けられ（図２参照）、また、シャワー吐水用押し釦１１ｂ側の湯水混合水栓１の側面にはシャワー吐水口１７が設けられており（図１参照）、シャワー吐水口１７には図示しないシャワーヘッドに連通したシャワーホースが接続されている。使用者は、温度調節ハンドル１２により所望の温度に設定するとともに、カラン吐水を得たい場合はカラン用押し釦１１ａを、シャワー吐水を得たい場合はシャワー用押し釦１１ｂを押すことにより、直ちに、所望の温度の湯水混合水を得ることができる。そして、各押し釦を再度押すと止水されるようになっている。
【００１５】
なお、湯水混合水の水勢は湯水混合水栓１の正面下方部に設けられた流量調整レバー１３を横方向にスライド操作することにより調整する。水勢の調整は各吐水口からの吐水時でも調整可能であるし、止水時でも流量調整レバー１３をスライド操作することで調整可能となっている。流調調整レバー１３と各吐水口へ吐水する押し釦が別々に構成されているため、使用者は一度所望の水勢に調整しておけば、各吐水口への押し釦を操作するだけで所望の水勢の湯水混合水を得ることができる。
【００１６】
ここで、カラン用押し釦１１ａおよびシャワー用押し釦１１ｂは上カバー上面１４ａと略同一面に第一操作面１１ｅ、１１ｆが設けられているとともに、上カバー前面１４ｂと略同一面に第二操作面１１ｇ、１１ｈが配されている。そのため使用者は、湯水混合水栓１の上面側に設けられた第一操作面１１ｅ、１１ｆおよび前面側に設けられた第二操作面１１ｇ、１１ｈのどちらでも操作できるため、風呂イスなどに腰かけた状態でも、またシャワー浴や浴槽の掃除の際などの立ち上がった状態でも容易に操作できるよう構成されている。
【００１７】
また、カラン用押し釦１１ａおよびシャワー用押し釦１１ｂの第二操作面１１ｇ、１１ｈにはそれぞれを識別するため、凸形状による触覚記号が設けられており、目を閉じた状態でもカラン用押し釦１１ａとシャワー用押し釦１１ｂを確認することができるため、より安全で快適に湯水混合水栓１を使用することが可能となっている。上記触角記号は第一操作面に設けることも可能であるし、第一操作面、第二操作面の双方に設けることもできる。
【００１８】
次いで温度調節ハンドル１２について説明する。
図６は、温度調節ハンドル１２によって操作される湯水混合手段としての温度調節弁１８の断面図であり、図７は分解斜視図である。温度調節弁１８はサーモスタット式の湯水混合弁であり、給水管及び給湯管を通じて供給された湯と水は、温度調節ハンドル１２によって所望に設定された温度となるように湯と水の混合比が自動調節される。温度調節ハンドル１２は水栓本体１０に内蔵された温度調節弁１８のスピンドル１９先端に取付けビス２４によりネジ止めされ、スピンドル１９と供回りしてスピンドル１９の軸心周りに回転自在となるよう取付けられ、ネジ止め箇所はキャップ２０により被覆されている。
【００１９】
温度調節ハンドル１２の前面１２ａは上カバー前面１４ｂと略同一面となるよう構成されるとともに、温度調節ハンドル１２の周面の一部は上カバー１４により覆われている。  また、温度調節ハンドル１２の前面１２ａには、温度調節ハンドル１２の操作を容易にするための操作レバー２１が湯水混合水栓１の前面に突出するように設けられている。
【００２０】
図８は温度調節ハンドル１２の断面図である。この温度調節ハンドル１２の内周面には温度調節ハンドル１２の回転を規制する安全ボタン２２が温度調節ハンドル１２の取付孔２３を通じて半径方向に移動可能なように取付けられている。より詳細に説明すると、安全ボタン２２は、水栓本体１０側と係合することで、温度調節ハンドル１２の回転を規制するストッパー２６と、ストッパー２６を温度調整ハンドル１２の外径方向に付勢する付勢手段としての付勢バネ２７とを介して、固定ビス２８により温度調節ハンドル１２に取付けられている。また、温度調節弁１８側には、温度調節ハンドル１２の回転規制部２９がナット３０により水栓本体１０に固定されている。
【００２１】
図９は、回転規制部２９の断面図である。この回転規制部２９には、低温設定側から高温設定側へと回転操作される途中において、付勢バネ２７により温度調節ハンドル１２の外径方向に押しつけられたストッパー２６と当接して温度調節ハンドル１２の回転を規制する回転規制壁２５と、ストッパー２６が回転規制壁２５に当接した状態から温度調節ハンドル１２を低温設定側に回転させた際に安全ボタン２２の付勢バネ２７の付勢力に抗して使用者が安全ボタン２２を操作することなく温度調節ハンドル１２内に徐々に収納する方向に移動させる突出量規制壁３１が形成されている。
【００２２】
具体的に温度調節ハンドル１２を操作した時の動作について説明する。図９において安全ボタン２２がＡの位置（低温設定側）から、安全ボタン２２がＢの位置（適温設定側）となるように温度調節ハンドル１２を回転操作した場合においては、安全ボタン２２は突出量規制壁３１に沿って温度調節ハンドル１２の外周部へ突出する。そして、更に温度調節ハンドル１２を回転させて安全ボタン２２がＣの位置となると、ストッパー２６と回転規制壁２５が当接することで、温度調節ハンドル１２の回転は規制されて一気に高温設定側へ回転して意図せずに高温吐水される危険を回避することができる。
【００２３】
高温吐水が必要な場合においては、使用者が意図して安全ボタン２２を温度調節ハンドル１２の内径側へ付勢バネ２７の付勢力に抗して押し込み、ストッパー２６と回転規制壁２５の当接を解除しながら温度調節ハンドル１２を高温設定側へ回転することで高温吐水を得ることができる。一方、温度調節ハンドル１２を高温設定側から適温設定側へ回転操作して安全ボタン２２がＣの位置に戻す場合においては、使用者が安全ボタン２２を操作する必要はない。
【００２４】
そして、安全ボタン２２がＣの位置にある適温設定側から更に温度調節ハンドル１２を回転させて安全ボタン２２がＡの位置となる低温設定側まで回転させる際には、突出量規制壁３１の傾斜に沿って滑らかにストッパー２６が移動する。このため、高温設定側から低温設定側へ回転操作する場合においては、回転規制部２９に設けられた突出量規制壁３１により付勢バネ２７の付勢力に抗して温度調節ハンドル１２内側へ収納する方向へ移動させ安全ボタン２２の突出量を小さくすることができる。
【００２５】
このように高温設定側へ回転規制を行う必要がない回転領域において安全ボタン２２の温度調節ハンドル１２からの突出量を小さくすることで、誤って安全ボタン２２を押し込んで高温設定領域まで回転させてしまうことがなく、意図せずに高温吐水されることを防止できる。
【００２６】
更に本実施例において、温度調節ハンドル１２の外周面から安全ボタン２２が大きく突出される回転領域においては上カバー１４から安全ボタン２２が露出するとともに、安全ボタン２２の突出量が小さくなる回転領域では安全ボタン２２が上カバー１４で覆われるように構成されている。このため、使用者は操作が不要な位置において安全ボタン２２に触れることができなくなり、誤って安全ボタン２２を押し込んで高温設定領域まで回転されることをより確実に防止できる。また、安全ボタン２２を温度調節ハンドル１２の外周面に突出させるために温度調節ハンドル１２を湯水混合水栓１の前面よりも突出させる必要がないので、意匠性に優れた湯水混合水栓１を提供することが可能になる。
【符号の説明】
【００２７】
１…湯水混合水栓
２…壁面
１０…水栓本体
１１…押し釦ユニット
１２…温度調節ハンドル
１３…流量調整レバー
１４…上カバー
１５…下カバー
１６…カラン吐水口
１７…シャワー吐水口
１８…温度調節弁（湯水混合手段）
１９…スピンドル
２０…キャップ
２１…操作レバー
２２…安全ボタン
２３…取付孔
２４…取付けビス
２５…回転規制壁
２６…ストッパー
２７…付勢バネ（付勢手段）
２８…固定ビス
２９…回転規制部
３０…ナット
３１…突出量規制壁
【図１】
0005796818.tif 000002
【図２】
0005796818.tif 000003
【図３】
0005796818.tif 000004
【図４】
0005796818.tif 000005
【図５】
0005796818.tif 000006
【図６】
0005796818.tif 000007
【図７】
0005796818.tif 000008
【図８】
0005796818.tif 000009
【図９】
0005796818.tif 000010